(57)【要約】【課題】みなし音声を符号化して伝送する場合に正常な復号を可能にする技術を提供する。【解決手段】通信アダプタ装置は、送信信号処理として、みなし音声通信装置から送信みなし音声アナログ信号を受信し、送信みなし音声アナログ信号をサンプリングと量子化によって送信みなし音声デジタル信号に変換し、送信みなし音声デジタル信号を、サンプリングのサンプリングフレームを単位として伝送フレームにマッピングし、伝送フレームを無線回線で前記基地局に送信する。また、通信アダプタ装置は、受信信号処理として、基地局から無線回線で伝送フレームを受信し、伝送フレームから受信みなし音声デジタル信号を、サンプリングフレームを単位としてデマッピングし、受信みなし音声デジタル信号から受信みなし音声アナログ信号を復元し、受信みなし音声アナログ信号をみなし音声通信装置に送信する。【選択図】図３
2012244225.tif 000002
【特許請求の範囲】
【請求項１】
みなし音声でデータ通信を行うみなし音声通信装置に接続され、アナログ信号を送受信するアナログインタフェース部と、アナログ信号とデジタル信号を相互に変換するアナログ／デジタル変換部と、前記デジタル信号がマッピングされる伝送フレームを処理するフレーム処理部と、移動体通信網の基地局と無線回線で接続され、該基地局と前記伝送フレームを送受信する無線インタフェース部と、を有し、
送信信号処理として、
前記アナログインタフェース部が、前記みなし音声通信装置から送信みなし音声アナログ信号を受信し、
前記アナログ／デジタル変換部が、前記送信みなし音声アナログ信号をサンプリングと量子化によって送信みなし音声デジタル信号に変換し、
前記フレーム処理部が、前記送信みなし音声デジタル信号を、前記サンプリングのサンプリングフレームを単位として伝送フレームにマッピングし、
前記無線インタフェース部が、前記伝送フレームを前記無線回線で前記基地局に送信し、
受信信号処理として、
前記無線インタフェース部が、前記基地局から前記無線回線で伝送フレームを受信し、
前記フレーム処理部が、前記伝送フレームから受信みなし音声デジタル信号を、前記サンプリングフレームを単位としてデマッピングし、
前記アナログ／デジタル変換部が、前記受信みなし音声デジタル信号から受信みなし音声アナログ信号を復元し、
前記アナログインタフェース部が、前記受信みなし音声アナログ信号を前記みなし音声通信装置に送信する、通信アダプタ装置。
【請求項２】
前記フレーム処理部は、前記受信信号処理において、前記無線インタフェース部からの前記伝送フレームの受信タイミングのゆらぎを吸収するバッファを有する、請求項１に記載の通信アダプタ装置。
【請求項３】
前記受信みなし音声デジタル信号および前記送信みなし音声デジタル信号は３２ｋＡＤＰＣＭであり、
前記伝送フレームは、１６０個のサンプリングフレーム毎にパケット化され、２０ミリ秒間隔で送信される、請求項１または２に記載の通信アダプタ装置。
【請求項４】
前記伝送フレームはＨＤＬＣライクなＰＰＰフレームである、請求項１から３のいずれか一項に記載の通信アダプタ装置。
【請求項５】
みなし音声でデータ通信を行うみなし音声通信装置に接続され、アナログ信号を送受信するアナログインタフェース部と、アナログ信号とデジタル信号を相互に変換するアナログ／デジタル変換部と、前記デジタル信号がマッピングされる伝送フレームを処理するフレーム処理部と、移動通信網の基地局と無線回線で接続され、該基地局と前記伝送フレームを送受信する無線インタフェース部と、を有する通信アダプタ装置による、みなし音声伝送方法であって、
送信信号処理として、
前記アナログインタフェース部にて、前記みなし音声通信装置から送信みなし音声アナログ信号を受信し、
前記アナログ／デジタル変換部にて、前記送信みなし音声アナログ信号をサンプリングと量子化によって送信みなし音声デジタル信号に変換し、
前記フレーム処理部にて、前記送信みなし音声デジタル信号を、前記サンプリングのサンプリングフレームを単位として伝送フレームにマッピングし、
前記無線インタフェース部から、前記伝送フレームを前記無線回線で前記基地局に送信し、
受信信号処理として、
前記無線インタフェース部にて、前記基地局から前記無線回線で伝送フレームを受信し、
前記フレーム処理部にて、前記伝送フレームから受信みなし音声デジタル信号を、前記サンプリングフレームを単位としてデマッピングし、
前記アナログ／デジタル変換部にて、前記受信みなし音声デジタル信号から受信みなし音声アナログ信号を復元し、
前記アナログインタフェース部から、前記受信みなし音声アナログ信号を前記みなし音声通信装置に送信する、みなし音声伝送方法。
【請求項６】
前記受信信号処理において、前記アナログ／デジタル変換部は、バッファによって、前記無線インタフェース部からの前記伝送フレームの受信タイミングのゆらぎを吸収する、請求項５に記載のみなし音声伝送方法。
【請求項７】
前記受信みなし音声デジタル信号および前記送信みなし音声デジタル信号は３２ｋＡＤＰＣＭであり、
前記伝送フレームは、１６０個のサンプリングフレーム毎にパケット化され、２０ミリ秒間隔で送信される、請求項５または６に記載のみなし音声伝送方法。
【請求項８】
前記伝送フレームはＨＤＬＣライクなＰＰＰフレームである、請求項５から７のいずれか一項に記載のみなし音声伝送方法。
【発明の詳細な説明】
【技術分野】
【０００１】
本発明は、みなし音声によって無線ネットワークを介してデータ伝送を行う技術に関する。
【背景技術】
【０００２】
みなし音声という音声周波数帯域のアナログ信号によってデータを伝送する通信を、みなし音声通信という。みなし音声とは、ＤＴＥ（Ｄａｔａ  Ｔｅｒｍｉｎａｌ  Ｅｑｕｉｐｍｅｎｔ）などによるデジタル信号を、モデムを用いて３００〜３４００Ｈｚの音声周波数帯域のアナログに変換した信号や、ファクシミリなどの信号である。モデムは、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）のＶシリーズ等に準拠したモデムである。みなし音声で通信することにより、音声信号の伝送に用いられる通信路でデータを伝送することが可能となる。
【０００３】
図１は、みなし音声通信によってデータを伝送するシステムの構成の一例を示す図である。
【０００４】
ＤＴＥ１０１はパソコンなどのデータ通信端末機器である。モデム１０２は、ＩＴＵ−ＴのＶシリーズ等に準拠し、ＤＴＥ１０１からのデータのデジタル信号を３００〜３４００Ｈｚの音声周波数帯域のアナログ信号（みなし音声）に変換する機器である。
【０００５】
ＰＳＴＮ１０３は、公衆交換電話網（ＰＳＴＮ「Ｐｕｂｌｉｃ  Ｓｗｉｔｃｈｅｄ  Ｔｅｌｅｐｈｏｎｅ  Ｎｅｔｗｏｒｋｓ」）などの固定電話網である。例えば、ＰＳＴＮ１０３は、モデム１０２からのみなし音声のアナログ信号をＧ．７１１音声符号化方式の音声コーデックによって６４Ｋｂｐｓデジタル信号に符号化し、音声データ用の通信路で伝送する。
【０００６】
図１の信号の流れを見ると、まず、一方（図中の左側）のＤＴＥ１０１からのデジタル信号がモデム１０２によって、みなし音声のアナログ信号に変換され、ＰＳＴＮ１０３を伝送され、他方のモデム１０２で再びデジタル信号に戻され、ＤＴＥ１０１に送達される。この例では、みなし音声の信号が、固定電話網であるＰＳＴＮを伝送されている。音声のアナログ信号を伝送するためのＰＳＴＮを介してデジタルデータが伝送されている。
【０００７】
ところで、ＰＳＴＮと同様に第３世代携帯電話網でも音声信号が伝送され、それにより音声通話が行われている。したがって、第３世代携帯電話網でも、みなし音声を伝送することができれば、固定電話網でみなし音声による通信に使用されてきた既存の通信機器（ＤＴＥ、モデム、ファクシミリ）をそのまま利用でき、有効活用が可能となる。またその結果、固定電話から携帯電話への移行が容易となる。更に、携帯電話網は固定電話網の回線設置のような工事が不要であることから、新たな機器を設置したり、機器を移設したりする際の自由度が高まり、柔軟にネットワークの構築を行うことが可能となる。
【０００８】
しかし、第３世代携帯電話網のような携帯電話網では、高圧縮の音声コーデックが用いられている。そのため、携帯電話網では、音声周波数帯域の信号がＰＳＴＮを伝送されるときよりも劣化する。そのため、みなし音声によってデータを第３世代携帯電話網で正常に伝送することはできないとされている。
【０００９】
例えば、第３世代携帯電話網では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式などの３Ｇネットワークに対応した３Ｇ通信モジュールが使用される。３Ｇ通信モジュールにて音声通信用に採用されている音声コーデックはＡＭＲ（Ａｄａｐｔｉｖｅ  Ｍｕｌｔｉ−Ｒａｔｅ）音声符号化方式である。
【００１０】
ＡＭＲ音声符号化方式では、アナログ音声信号は、ビットレートが４．７５ｋｂｐｓ〜１２．２ｋｂｐｓのデジタル信号に変換される。このＡＭＲ方式のビットレートは、固定電話網で採用されているＧ．７１１符号化方式のビットレートである６４ｋｂｐｓよりも量子化ビット数が少ない。そのため、ＡＭＲ符号化方式はＧ．７１１符号化方式よりもアナログ信号が大きく劣化する。そのため、第３世代携帯電話網では、みなし音声を音声信号の通信路で伝送することは不可能とされている。
【００１１】
これに対して、みなし音声を携帯電話網で伝送する技術が特許文献１に開示されている。特許文献１には、監視装置から出力される監視データをモデムによってみなし音声に変換し、通信アダプタ装置にて、みなし音声を高品質符号化処理でデジタル音声信号に符号化し、デジタル音声信号を携帯電話網で伝送するシステムが開示されている。
【００１２】
特許文献１には、符号化処理の例としてＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ：ＩＴＵ−Ｔ  Ｇ．７２６）コーデックが示されている。また、エラー訂正用フレームを実現する方法としてＰＰＰ（Ｐｏｉｎｔ  ｔｏ  Ｐｏｉｎｔ  Ｐｒｏｔｏｃｏｌ）を適用する例が示されている。
【先行技術文献】
【特許文献】
【００１３】
【特許文献１】特開２０１０−２８３５９１号公報
【発明の概要】
【発明が解決しようとする課題】
【００１４】
しかしながら、特許文献１に開示されたシステムでは、みなし音声をＡＤＰＣＭコーデックで符号化したデジタル音声信号を、携帯電話網上を伝送するためのフレーム（以下、伝送フレームという）に搭載する際、デジタル音声信号における、みなし音声のアナログ信号からサンプリングされた値を量子化したデータの単位（以下、サンプリングフレームという）が異なる伝送フレームに分割されてしまうことがあった。
【００１５】
ＡＤＰＣＭのサンプリングフレームが複数の伝送フレームに分断されると、受信側では、サンプリングフレームのデータが全て揃うまで、そのサンプリングフレームを復号することができない。そのため、特許文献１に開示されたシステムでは、サンプリングフレームの同期をとるのが困難となる場合があった。更に携帯電話網では無線回線においてジッタや揺らぎが発生するため、受信側のＡＤＰＣＭの復号処理にて、みなし音声のアナログ信号を正常に復号することが更に困難となる場合があった。
【００１６】
本発明の目的は、みなし音声を符号化して伝送する場合に正常な復号を可能にする技術を提供することである。
【課題を解決するための手段】
【００１７】
上記目的を達成するために、本発明の通信アダプタ装置は、
みなし音声でデータ通信を行うみなし音声通信装置に接続され、アナログ信号を送受信するアナログインタフェース部と、アナログ信号とデジタル信号を相互に変換するアナログ／デジタル変換部と、前記デジタル信号がマッピングされる伝送フレームを処理するフレーム処理部と、移動体通信網の基地局と無線回線で接続され、該基地局と前記伝送フレームを送受信する無線インタフェース部と、を有し、
送信信号処理として、
前記アナログインタフェース部が、前記みなし音声通信装置から送信みなし音声アナログ信号を受信し、
前記アナログ／デジタル変換部が、前記送信みなし音声アナログ信号をサンプリングと量子化によって送信みなし音声デジタル信号に変換し、
前記フレーム処理部が、前記送信みなし音声デジタル信号を、前記サンプリングのサンプリングフレームを単位として伝送フレームにマッピングし、
前記無線インタフェース部が、前記伝送フレームを前記無線回線で前記基地局に送信し、
受信信号処理として、
前記無線インタフェース部が、前記基地局から前記無線回線で伝送フレームを受信し、
前記フレーム処理部が、前記伝送フレームから受信みなし音声デジタル信号を、前記サンプリングフレームを単位としてデマッピングし、
前記アナログ／デジタル変換部が、前記受信みなし音声デジタル信号から受信みなし音声アナログ信号を復元し、
前記アナログインタフェース部が、前記受信みなし音声アナログ信号を前記みなし音声通信装置に送信するものである。
【００１８】
本発明の、みなし音声伝送方法は、みなし音声でデータ通信を行うみなし音声通信装置に接続され、アナログ信号を送受信するアナログインタフェース部と、アナログ信号とデジタル信号を相互に変換するアナログ／デジタル変換部と、前記デジタル信号がマッピングされる伝送フレームを処理するフレーム処理部と、移動通信網の基地局と無線回線で接続され、該基地局と前記伝送フレームを送受信する無線インタフェース部と、を有する通信アダプタ装置による、みなし音声伝送方法であって、
送信信号処理として、
前記アナログインタフェース部にて、前記みなし音声通信装置から送信みなし音声アナログ信号を受信し、
前記アナログ／デジタル変換部にて、前記送信みなし音声アナログ信号をサンプリングと量子化によって送信みなし音声デジタル信号に変換し、
前記フレーム処理部にて、前記送信みなし音声デジタル信号を、前記サンプリングのサンプリングフレームを単位として伝送フレームにマッピングし、
前記無線インタフェース部から、前記伝送フレームを前記無線回線で前記基地局に送信し、
受信信号処理として、
前記無線インタフェース部にて、前記基地局から前記無線回線で伝送フレームを受信し、
前記フレーム処理部にて、前記伝送フレームから受信みなし音声デジタル信号を、前記サンプリングフレームを単位としてデマッピングし、
前記アナログ／デジタル変換部にて、前記受信みなし音声デジタル信号から受信みなし音声アナログ信号を復元し、
前記アナログインタフェース部から、前記受信みなし音声アナログ信号を前記みなし音声通信装置に送信するものである。
【発明の効果】
【００１９】
本発明によれば、みなし音声を符号化して伝送する場合に正常な復号が可能になる。
【図面の簡単な説明】
【００２０】
【図１】みなし音声通信によってデータを伝送するシステムの構成の一例を示す図である。
【図２】第１の実施形態における、みなし音声データ伝送システムの構成を示す図である。
【図３】本実施形態の通信アダプタ装置２０３の構成を示すブロック図である。
【図４】第２の実施形態の通信アダプタ装置の構成を示すブロック図である。
【図５】第２の実施形態の一実施例による通信アダプタ装置２０３の構成を示すブロック図である。
【図６】本実施例における受信バッファ４１２の面構成を表す模式図である。
【図７】本実施例における伝送フレームのフレームフォーマットおよびデータ搭載の様子を示す図である。
【図８】本実施形態のみなし音声データ伝送システムの送信信号に関する動作を示すフローチャートである。
【図９】本実施形態のみなし音声データ伝送システムの受信信号に関する動作を示すフローチャートである。
【発明を実施するための形態】
【００２１】
本発明を実施するための形態について図面を参照して詳細に説明する。
【００２２】
（第１の実施形態）
図２は、第１の実施形態における、みなし音声データ伝送システムの構成を示す図である。図２を参照すると、本システムは、それぞれ２つのＤＴＥ２０１、モデム２０２、および通信アダプタ装置２０３を有している。ＤＴＥ２０１がモデム２０２および通信アダプタ装置２０３を介して移動体通信網２０４に接続されている。２つのＤＴＥ間の信号が移動体通信網２０４で伝送される。
【００２３】
ＤＴＥ２０１はパソコンなどのデータ通信端末機器である。モデム２０２は、ＩＴＵ−ＴのＶシリーズ等に準拠し、ＤＴＥからのデータのデジタル信号を３００〜３４００Ｈｚの音声周波数帯域のアナログ信号（みなし音声）に変換する機器である。これらＤＴＥ２０１とモデム２０２は別々に構成されてもよく、１つの装置に組み込まれていてもよい。
【００２４】
通信アダプタ装置２０３は、送信信号処理として、モデム２０２から、みなし音声のアナログ信号を受信し、そのアナログ信号をデジタル信号に変換し、そのデジタル信号を伝送フレームにマッピングして移動体通信網２０４の基地局（不図示）に送信する。また、通信アダプタ装置２０３は、受信信号処理として、移動体通信網２０４の基地局から伝送フレームを受信し、その伝送フレームから、みなし音声のデジタル信号をデマッピングし、デジタル信号をアナログ信号に変換してモデム２０２に送信する。
【００２５】
移動体通信網２０４は、基地局で、通信アダプタ装置２０３を含む端末装置と無線回線で接続し、その音声信号あるいはデータがマッピングされた伝送フレームを所望の宛先に伝送する。
【００２６】
図３は、本実施形態の通信アダプタ装置２０３の構成を示すブロック図である。図３を参照すると、通信アダプタ装置２０３は、アナログインタフェース部３０１、アナログ／デジタル変換部３０２、フレーム処理部３０３、および無線インタフェース部３０４を有している。
【００２７】
上述のように、通信アダプタ装置２０３の処理には、モデム２０２から移動体通信網２０４に向かう上り信号を処理する送信信号処理と、移動体通信網２０４からモデム２０２に向かう下り信号を処理する受信信号処理とが含まれている。以下、それぞれについて説明する。
【００２８】
まず送信信号処理について説明する。
【００２９】
ＤＴＥ２０１から送信されたデータがモデム２０２でみなし音声に変換され、送信みなし音声アナログ信号として、モデム２０２からアナログインタフェース部３０１に入力される。
【００３０】
アナログインタフェース部３０１は、送信みなし音声アナログ信号をモデム２０２から受信し、アナログ／デジタル変換部３０２に送信する。
【００３１】
アナログ／デジタル変換部３０２は、送信みなし音声アナログ信号を、サンプリングと量子化を行うことによって送信みなし音声デジタル信号に変換し、フレーム処理部３０３に送信する。サンプリング周期および量子化ビット数は特に限定されず、任意である。
【００３２】
フレーム処理部３０３は、送信みなし音声デジタル信号を、アナログ／デジタル変換部３０２で行われたサンプリングのサンプリングフレームを単位として伝送フレームにマッピングする。送信みなし音声デジタル信号がマッピングされた伝送フレームは無線インタフェース部３０４に送信される。これにより、１つのサンプリングフレームが複数の伝送フレームに分割されることが無くなる。
【００３３】
無線インタフェース部３０４は、フレーム処理部３０３からの伝送フレームを無線回線で移動体通信網２０４の基地局に送信する。
【００３４】
次に受信信号処理について説明する。
【００３５】
無線インタフェース部３０４は、移動体通信網２０４の基地局から無線回線で伝送フレームを受信し、フレーム処理部３０３に送信する。
【００３６】
フレーム処理部３０３は、無線インタフェース部３０４からの伝送フレームから受信みなし音声デジタル信号を、サンプリングフレームを単位としてデマッピングする。そして、フレーム処理部３０３は、デマッピングした受信みなし音声デジタル信号を、アナログ／デジタル変換部３０２に送信する。
【００３７】
アナログ／デジタル変換部３０２は、フレーム処理部３０３からの受信みなし音声デジタル信号から受信みなし音声アナログ信号を復元し、アナログインタフェース部３０１に送信する。
【００３８】
アナログインタフェース部３０１は、受信みなし音声アナログ信号をモデム２０２に送信する。
【００３９】
以上説明したように、本実施形態によれば、みなし音声のデジタル信号を、サンプリングフレームを単位として伝送フレームにマッピングし、またサンプリングフレームを単位として伝送フレームからデマッピングするので、移動体通信網２０４を伝送した伝送フレームから取り出したデジタル信号から、みなし音声を正常に復号することができる。
【００４０】
なお、本実施形態では、フレーム処理部３０３は、受信信号処理において、無線インタフェース部３０４からの伝送フレームの受信タイミングのゆらぎを吸収するバッファを有してもよい。移動体通信網２０４からの伝送フレームの受信タイミングのゆらぎがバッファで吸収されるので、アナログ／デジタル変換部３０２におけるみなし音声の復号を、より確実に送信側の符号化と同期させることができる。
【００４１】
また、本実施形態によれば、移動体通信網２０４でみなし音声通信が可能になることにより、以下のような効果も得られる。
【００４２】
ＰＳＴＮのような固定電話網で、みなし音声通信に用いられていた機器（ＤＴＥ、モデム、ファクシミリ）を破棄または変更することなく、移動体通信網２０４における、みなし音声通信にそのまま使用できるため、ユーザはＰＳＴＮから移動体通信網（携帯電話網）へ容易に移行することができる。
【００４３】
また、移動体通信網２０４でみなし音声通信が可能となるため、固定電話回線の場合のような工事が不要なり、新たな機器の設置や移設の自由度が高まり、柔軟なネットワークの構築が可能となる。
【００４４】
（第２の実施形態）
第２の実施形態のシステムは基本的に第１の実施形態のものと同じ構成を有するが、みなし音声信号に用いる符号化方式や伝送フレームがより具体化されている。
【００４５】
本実施形態における、みなし音声データ伝送システムは、図２に示した第１の実施形態のものと同じ構成である。通信アダプタ装置２０３は、以下の４つの特徴を備えている。
【００４６】
第１の特徴として、通信アダプタ装置２０３は、第３世代携帯電話網（移動体通信網２０４）を介して６４ｋデジタルデータ通信によるエンド・ツー・エンドのトランスペアレントなデジタルデータ通信が可能である。
【００４７】
第２の特徴として、通信アダプタ装置２０３は、みなし音声をＩＴＵ−Ｔ  Ｇ．７２６のＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ：ＩＴＵ−Ｔ  Ｇ．７２６）方式で３２ｋｂｐｓのデジタル信号に符号化することで、第３世代携帯電話網で音声信号に用いられるＡＭＲ方式による伝送劣化を回避することが可能である。
【００４８】
第３の特徴として、通信アダプタ装置２０３は、みなし音声の３２ｋＡＤＰＣＭデータをサンプリングフレーム単位で処理することで、非同期ネットワークである第３世代携帯電話網を介したＡＤＰＣＭデータの同期が可能である。
【００４９】
第４の特徴として、通信アダプタ装置２０３が、第３世代携帯電話網による６４ｋデジタルデータ通信で生じるパケット受信タイミングの揺らぎやジッタをバッファによって吸収することで、リアルタイム性を失わずにみなし音声の通信を行うことが可能である。なお、６４ｋデジタルデータ通信は、６４ｋ回線交換、６４ｋ非制限デジタルデータ通信、６４ｋｂｐｓ  ＵＤＩ（Ｕｎｒｅｓｔｒｉｃｔｅｄ  Ｄｉｇｉｔａｌ  Ｉｎｆｏｒｍａｔｉｏｎ）などのことである。
【００５０】
図４は、第２の実施形態の通信アダプタ装置の構成を示すブロック図である。通信アダプタ装置２０３は、第３世代携帯電話網である移動体通信網２０４による、みなし音声の伝送を可能にするための装置であり、アナログインタフェース部３０１、アナログ／デジタル変換部３０２、フレーム処理部３０３、および無線インタフェース部３０４を有している。
【００５１】
アナログインタフェース部３０１は、モデム２０２を接続してみなし音声を入出力するためのインタフェース部である。アナログ／デジタル変換部３０２は、みなし音声をデジタルデータに符号化し、またデジタルデータをみなし音声に復号する変換部である。
【００５２】
フレーム処理部３０３は、送信信号に関して、デジタル化したみなし音声を伝送フレームにマッピングし、また受信信号に関して、伝送フレームから、デジタル化したみなし音声をデマッピングするというフレーミング処理を行う。また、フレーム処理部３０３は、移動体通信網２０４から無線インタフェース部３０４を介して受信した伝送フレームの揺らぎやジッタをバッファによって吸収する。
【００５３】
無線インタフェース部３０４は、伝送フレームによるデータ通信を第３世代携帯電話網（移動体通信網２０４）を介して行うための無線インタフェースであり、移動体通信網２０４の基地局と無線回線で接続し、伝送フレームを送受信する。
【００５４】
図４において、アナログインタフェース部３０１は、ＨＹＢ２線／４線部３０５を備えており、モデム（または電話機やファクシミリなど）を接続するための２線式電話用インタフェースを構成する。アナログインタフェース部３０１は、ＰＳＴＮにおける電話回線とのインタフェースであるアナログ電話機インタフェースと同等の特性および機能を持ち、電気通信事業法の端末設備等規則に基づくアナログ電話端末を接続し、制御することができる。
【００５５】
図４において、アナログ／デジタル変換部３０２は、モデム２０２からアナログインタフェース部３０１経由で受信したアナログ信号（みなし音声）をＰＣＭ  Ａ／μ−ｌａｗ部３０６においてＰＣＭ方式で符号化し、更に３２ｋＡＤＰＣＭ部３０７においてＡＤＰＣＭ方式に変換する。アナログ信号を８ｋＨｚでサンプリングし、４ビットで符号化した、１サンプリングフレーム当たり４ビットのデータ配列からなるＡＤＰＣＭデータが生成される。
【００５６】
また、アナログ／デジタル変換部３０２は、その逆に、受信信号に関して、３２ｋＡＤＰＣＭ部３０９においてＡＤＰＣＭ方式からＰＣＭ方式に変換し、ＰＣＭ  Ａ／μ−ｌａｗ部３０８においてデジタル信号からアナログ信号（みなし音声）へ復号する。みなし音声は、本実施形態のようにＡＤＰＣＭ方式で符号化して伝送した場合、ＡＭＲ方式の場合と比べて劣化が小さく、正常な復号が可能である。
【００５７】
なお、移動体通信網２０４による６４ｋデジタルデータ通信の伝送帯域（６４ｋｂｐｓ）に対して余裕をもたせるために、アナログ／デジタル変換部３０２において、みなし音声を３２ｋｂｐｓのＡＤＰＣＭ方式で符号化しているが、本発明がこれに限定されるものではない。移動体通信網２０４の伝送帯域が十分にあるならば、６４ｋＰＣＭ方式（６４ｋｂｐｓ）や４０ｋＡＤＰＣＭ方式（４０ｋｂｐｓ）を代わりに用いてもよい。例えば、６４ｋＰＣＭ方式でデータを移動体通信網２０４に伝送させる場合、アナログ／デジタル変換部３０２では、アナログ信号を８ｋＨｚでサンプリングし、８ビットで符号化した、１サンプリングフレーム当たり８ｂｉｔのデータ配列からなるＰＣＭデータを生成すればよい。
【００５８】
また本実施形態においては、ＰＣＭ方式として任意でＡ−ｌａｗとμ−ｌａｗのどちらも用いることができる。
【００５９】
図４において、フレーム処理部３０３は、非同期ネットワークである移動体通信網２０４を介してＡＤＰＣＭデータの送受信装置間のサンプリングフレームのフレーム同期をとる。そのために、送信信号処理として、送信フレーム処理部３１０が、ＡＤＰＣＭデータを４ビットのサンプリングフレーム単位で伝送フレームにマッピングする。また、受信信号処理として、受信フレーム処理部３１１が、伝送フレームからＡＤＰＣＭデータを４ビットのサンプリングフレーム単位でデマッピングする。これにより、送受信装置間で正常な同期をとってＡＤＰＣＭデータを正しく符号化および復号することができる。
【００６０】
送信フレーム処理部３１０は、無線インタフェース部３０４にＡＤＰＣＭデータを伝送する際に、ＡＤＰＣＭデータを伝送フレームのフレームフォーマットにパケット化し、ヘッダ情報を付加して送信する。伝送フレームには、伝送フレームの先頭を示すフラグ情報と、伝送されたデータの誤りを検出するためのＦＣＳ（フレームチェックシーケンス）情報を含む、ヘッダおよびトレイラが付加される。
【００６１】
伝送フレームのフォーマットとしては、一例として、ＲＦＣ１６６１「Ｔｈｅ  Ｐｏｉｎｔ−ｔｏ−Ｐｏｉｎｔ  Ｐｒｏｔｏｃｏｌ  （ＰＰＰ）」やＲＦＣ１６６２「ＰＰＰ  ｉｎ  ＨＤＬＣ−ｌｉｋｅ  Ｆｒａｍｉｎｇ」にしたがったＨＤＬＣライクなＰＰＰフレームが用いられる。ＨＤＬＣライクなＰＰＰフレームが用いられることで、非同期ＰＰＰ通信が可能となる。
【００６２】
また、１つの伝送フレームにパケット化するＡＤＰＣＭデータのサイズは、移動体通信網２０４の伝送帯域の６４ｋｂｐｓに合わせるため、ＡＤＰＣＭデータのサンプリングフレーム単位で１６０フレーム（１６０×４ｂｉｔ＝６４０ｂｉｔ）とする。そして、その伝送フレームの送信間隔は、ＡＤＰＣＭデータの１６０フレームのデータ量がアナログ信号に換算すると２０ミリ秒分のデータに相当するので、２０ミリ秒間隔とする。なお、伝送フレームにパケット化するＡＤＰＣＭのサイズと送信間隔として、ここで用いた値は一例であり、移動体通信網２０４の伝送帯域などによって最適な値に変更したり、調整したりしてもよい。
【００６３】
また、受信フレーム処理部３１１は、送信フレーム処理部３１０と逆の処理を行う。受信フレーム処理部３１１は、受信した伝送フレームに付加されたフラグ情報からフレームの先頭を識別し、伝送フレームからＡＤＰＣＭデータを取り出し、アナログ／デジタル変換部３０２に送信する。その際、受信フレーム処理部３１１は、受信した伝送フレームのＦＣＳエラー検出を行い、エラーを検出した伝送フレームを破棄する。
【００６４】
また、受信フレーム処理部３１１は、受信バッファ３１２を備えており、受信した伝送フレームを受信バッファ３１２に格納した後に、所定の読み出しタイミングで読み出すことで、移動体通信網２０４による伝送フレームのタイミングの揺らぎやジッタを吸収する。この受信バッファ３１２は、前述のＡＤＰＣＭデータのサイズに合わせて設計されており、ＡＤＰＣＭデータのサンプリングフレームで１６０フレームを蓄積できる記憶容量を１単位（この単位を「面」という）として、一例として１０面分の記憶容量を有する構成となっている。
【００６５】
受信フレーム処理部３１１は、伝送フレームで受信したデータを受信バッファ３１２に書き込み、一時的にデータを保持してから一定時間間隔で読み出し、次段の３２ｋＡＤＰＣＭ部３０９へ送信する。これにより、伝送フレームの揺らぎやジッタが吸収され、その結果、リアルタイム性を失わずに、みなし音声を伝送することが可能になる。
【００６６】
なお、本実施形態では、受信バッファ３１２のバッファサイズを一例として１０面としたが、本発明がこのサイズに限定されるものではない。このバッファサイズには、その値を大きくすると伝送フレームの揺らぎやジッタに対する耐力が増す一方で伝送遅延が大きくなるというトレードオフがある。そのため、受信バッファ３１２のバッファサイズは、実際の移動体通信網２０４を用いたデータ通しの試験などを行って最適な値に調整することができてもよい。
【００６７】
図４において、無線インタフェース部３０４は、一例として、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式などの第３世代携帯電話網に対応したインタフェースで、伝送フレームを移動体通信網２０４の基地局と送受信する。第３世代携帯電話網では、６４ｋデジタルデータ通信によるエンド・ツー・エンドのトランスペアレントなデジタルデータ通信が可能である。
【００６８】
（実施例）
図５は、第２の実施形態の一実施例による通信アダプタ装置２０３の構成を示すブロック図である。図５を参照すると、通信アダプタ装置２０３は、ＳＬＩＣ（Ｓｕｂｓｃｒｉｂｅｒ−Ｌｏｏｐ−Ｉｎｔｅｒｆａｃｅ−Ｃｉｒｃｕｉｔ）４０１、ＡＤＰＣＭ  ＣＯＤＥＣ  ４０２、フレーム制御装置４０３、および３Ｇ通信モジュール４０４を有している。ＳＬＩＣ４０１はＨＹＢ２線／４線部４０５およびＰＣＭ  Ａ／μ−ｌａｗ部４０６、４０７を有している。ＡＤＰＣＭ  ＣＯＤＥＣ４０２は３２ｋＡＤＰＣＭ４０８、４０９を有している。フレーム制御装置４０３は送信フレーム処理部４１０および受信フレーム処理部４１１を有している。受信フレーム処理部４１１は受信バッファ４１２を有している。
【００６９】
図５において、ＳＬＩＣ４０１は、図４に示したアナログインタフェース部３０１とアナログ／デジタル変換部３０２の一部を備えた装置である。ＳＬＩＣ４０１は、モデム２０２から受信したアナログ信号（みなし音声）をＰＣＭ方式で６４ｋｂｐｓのＰＣＭデジタル信号に符号化する。また、ＳＬＩＣ４０１は、ＡＤＰＣ  ＣＯＤＥＣ４０２からの６４ｋｐｓのＰＣＭデジタル信号からアナログ信号（みなし音声）を復号する。
【００７０】
図５において、ＡＤＰＣＭ  ＣＯＤＥＣ  ４０２は、図４に示したアナログ／デジタル変換部３０２の一部を備えた装置である。ＡＤＰＣＭ  ＣＯＤＥＣ  ４０２は、ＳＬＩＣ４０１から受信した６４ｋｂｐｓのＰＣＭデータをＡＤＰＣＭ方式で３２ｋｂｐｓのＡＤＰＣＭデータに符号化する。また、ＡＤＰＣＭ  ＣＯＤＥＣ  ４０２は、フレーム制御装置４０３からの３２ｋのＡＤＰＣＭデジタル信号から６４ｋのＰＣＭデジタル信号を復号する。
【００７１】
なお、図５に示すＡＤＰＣＭ  ＣＯＤＥＣ  ４０２では、移動体通信網２０４の伝送帯域（６４ｋｂｐｓ）に対して余裕をもつためにみなし音声を３２ｋｂｐｓのＡＤＰＣＭデータに変換しているが、本発明がこれに限定されるものではない。移動体通信網２０４の伝送帯域に十分余裕があるならば、６４ｋｂｐｓのＰＣＭや４０ｋｂｐｓのＡＤＰＣＭを用いてもよい。また、ＳＬＩＣ４０１におけるＰＣＭ方式として、Ａ−ｌａｗとμ−ｌａｗのどちらも任意で用いることができる。
【００７２】
図５において、フレーム制御装置４０３は、図４に示したフレーム処理部３０３に相当する装置である。フレーム制御装置４０３は送信フレーム処理部４１０と受信フレーム処理部４１１を有している。そして、受信フレーム処理部４１１は受信バッファ４１２を備えている。
【００７３】
フレーム制御装置４０３は、非同期ネットワークである移動体通信網２０４を介して送受信装置間でＡＤＰＣＭデータのサンプリングフレームのフレーム同期をとる。その際、フレーム制御装置４０３は、送信信号処理として、アナログ信号を８ｋＨｚでサンプリングして量子化することでデジタル信号に符号化し、１サンプリングフレーム当たり４ｂｉｔのデータ配列としたＡＤＰＣＭデータを、サンプリングフレーム（４ｂｉｔ）単位で処理する。それにより、受信側において、ＡＤＰＣＭデータを正しく復号し、ＡＤＰＣＭデータのフレーム同期をとることができる。なお、３２ｋＡＤＰＣＭ方式の代わりに６４ｋＰＣＭ方式を用いる場合、１サンプリングフレーム当たりのビット数は８ｂｉｔとなる。
【００７４】
送信フレーム処理部４１０は、３Ｇ通信モジュール４０４を介して移動体通信網２０４にＡＤＰＣＭデータを送信する。その際に、送信フレーム処理部４１０は、ＡＤＰＣＭデータを伝送フレームのフレームフォーマットにパケット化し、ヘッダ情報を付加して送信する。伝送フレームに付加されるヘッダ情報には、フレーム先頭を示すためのフラグ情報と、伝送されるデータの損失を検出するためのＦＣＳ（フレームチェックシーケンス）情報が含まれている。
【００７５】
伝送フレームのフレームフォーマットは、一例として、ＲＦＣ１６６１「Ｔｈｅ  Ｐｏｉｎｔ−ｔｏ−Ｐｏｉｎｔ  Ｐｒｏｔｏｃｏｌ  （ＰＰＰ）」やＲＦＣ１６６２「ＰＰＰ  ｉｎ  ＨＤＬＣ−ｌｉｋｅ  Ｆｒａｍｉｎｇ」にしたがったＨＤＬＣライクなＰＰＰフレームである。これにより非同期ＰＰＰ通信が可能となる。
【００７６】
また、１つの伝送フレームにパケット化するＡＤＰＣＭデータのサイズは、移動体通信網２０４の伝送帯域の６４ｋｂｐｓに合わせるため、一例として、サンプリングフレーム単位で１６０フレームとする。これは６４０ｂｉｔ（１６０×４ｂｉｔ＝６４０ｂｉｔ）に相当する。
【００７７】
ＡＤＰＣＭデータの１６０フレーム分のデータ量はアナログ信号に換算すると２０ミリ秒分の長さであるため、伝送フレームの送信間隔は２０ミリ秒間隔とする。なお、パケット化するＡＤＰＣＭのサイズと送信間隔は、移動体通信網２０４の伝送帯域によって最適な値に変更したり、調整したりしても良い。
【００７８】
受信フレーム処理部４１１は、送信フレーム処理部４１０と逆の処理を行う。移動体通信網２０４から３Ｇ通信モジュール４０４経由で受信した伝送フレームのフラグ情報からフレーム先頭を識別し、伝送フレームからＡＤＰＣＭデータを取り出す。そして、受信フレーム処理部４１１は、取り出したＡＤＰＣＭデータをＡＤＰＣＭ  ＣＯＤＥＣ４０２に渡す。その際、受信フレーム処理部４１１は、伝送フレームのＦＣＳエラーチェックを行い、エラーが検出された伝送フレームを破棄する。
【００７９】
また、受信フレーム処理部４１１は、移動体通信網２０４による伝送フレームの受信タイミングの揺らぎやジッタを吸収するための受信バッファ４１２を備えている。この受信バッファ４１２は、前述のＡＤＰＣＭデータのサイズに合わせて設計されており、ＡＤＰＣＭデータ１６０フレームを１単位（この単位を「面」とする）として１０面構成になっている。
【００８０】
図６は、本実施例における受信バッファ４１２の面構成を表す模式図である。図６を参照すると、受信バッファ４１２は、１６０個のＡＤＰＣＭのサンプリングフレーム（ＡＤＰＣＭ＃１から＃１６０）を１面として、それを１０面分記憶できる構成である。
【００８１】
受信フレーム処理部４１１は受信データをこの受信バッファ４１２に書き込み、一時的にデータを保存してから一定時間間隔で読み出して次段のＡＤＰＣＭ  ＣＯＤＥＣ４０２へ送る。これにより、移動体通信網２０４による伝送フレームの受信タイミングの揺らぎやジッタを吸収することが可能になり、その結果、リアルタイム性を失うことなく「みなし音声」を伝送することが可能になる。
【００８２】
なお、本実施例では受信バッファ４１２を１０面構成としているが、本発明がこの構成に限定されるものではない。このバッファサイズを大きくすると、移動体通信網２０４で揺らぎやジッタに対する耐力が増す一方で、伝送遅延が大きくなるというトレードオフがある。そのため、受信バッファ４１２のサイズは実際のシステムにおいてデータ通し試験等を行って最適化（チューニング）してもよい。
【００８３】
図５において、３Ｇ通信モジュール４０４は、図４に示した無線インタフェース部３０４に相当する装置である。３Ｇ通信モジュール４０４は、Ｗ−ＣＤＭＡ方式などの３Ｇネットワークに対応しており、第３世代携帯電話網で６４ｋデジタルデータ通信によるエンド・ツー・エンドのトランスペアレントなデジタルデータ通信が可能である。
【００８４】
図７は、本実施例における伝送フレームのフレームフォーマットおよびデータ搭載の様子を示す図である。図７を参照すると、伝送フレームであるＨＤＬＣライクな非同期ＰＰＰフレーム６０３は、６４０ビットのペイロード部分である情報部に対して、フラグ、アドレス（ＡＤＲ）、制御ビット、プロトコル識別子、およびＦＣＳが付加された構成である。６４０ビットの情報部には、サンプリングフレームで１６０フレーム分のＡＤＰＣＭデータ６０２が搭載されている。ＡＤＰＣＭデータ６０２は、サンプリング周波数が８ｋＨｚで、量子化ビット数が４ビットの３２ｋＡＤＰＣＭデータであり、伝送速度は３２００００ビット／秒である。その伝送速度は、サンプリング周波数が８ｋＨｚで、量子化ビット数が８ビットのＰＣＭデータ６０１の伝送速度（６４０００ビット／秒）の１／２である。ＨＤＬＣライクな非同期ＰＰＰフレーム６０３に搭載される１６０フレームのＡＤＰＣＭデータは２０ミリ秒分に相当するので、ＨＤＬＣライクな非同期ＰＰＰフレーム６０３の送信間隔は２０ミリ秒とされている。
【００８５】
図８は、本実施形態のみなし音声データ伝送システムの送信信号に関する動作を示すフローチャートである。図８を参照すると、まず、図２に示したＤＴＥ２０１がデジタル信号（データ）をモデム２０２へ送信する（ステップ７０１）。
【００８６】
モデム２０２はＤＴＥ２０１から受信したデジタル信号（データ）を３００〜３４００Ｈｚの音声周波数帯域のアナログ信号（みなし音声）に変換し（ステップ７０２）、通信アダプタ装置２０３へ送信する。
【００８７】
通信アダプタ２０３において、図５に示したＳＬＩＣ４０１はモデム２０２から受信したアナログ信号（みなし音声）を、一例として８ｋＨｚでサンプリングし、８ビットで量子化することにより、図７に示したμ−ｌａｗの６４ｋｂｐｓのＰＣＭデジタル信号（ＰＣＭデータ６０１）に符号化する（ステップ７０３）。なお、ＳＬＩＣ４０１によるＰＣＭ方式としてＡ−ｌａｗとμ−ｌａｗのどちらを用いてもよい。
【００８８】
ＡＤＰＣＭ  ＣＯＤＥＣ  ４０２は、ＳＬＩＣ４０１から受信した６４ｋｂｐｓのＰＣＭデータを、図７に示した３２ｋｂｐｓのＡＤＰＣＭデータ６０２に変換し（ステップ７０４）、フレーム制御装置４０３内の送信フレーム処理部４１０へ送信する。
【００８９】
送信フレーム処理部４１０はＡＤＰＣＭ  ＣＯＤＥＣ  ４０２から受信した３２ｋｂｐｓのＡＤＰＣＭデータを、図７に示した伝送フレーム（ＨＤＬＣライクな非同期ＰＰＰフレーム６０３）のフレームフォーマットにパケット化し（ステップ７０５）、ヘッダ情報を付加して３Ｇ通信モジュール４０４へ送信する。
【００９０】
その際、送信フレーム処理部４１０は、非同期ネットワークでＡＤＰＣＭデータのフレーム同期を実現するための処理を実行する。その処理により、図７に示した、１サンプリングフレーム当たり４ｂｉｔのデータ配列（これを１フレームとする）としたＡＤＰＣＭデータ６０２は、送信フレーム処理部４１０にて１６０フレーム（８０オクテット）毎に、フレーム制御装置４０３への到着順でＨＤＬＣライクな非同期ＰＰＰフレーム６０３にカプセル化される。
【００９１】
３Ｇ通信モジュール４０４は、送信フレーム処理部４１０から受信したＨＤＬＣライクな非同期ＰＰＰフレーム６０３を同期ＰＰＰフレームへ変換し（ステップ７０６）、第３世代携帯電話網（移動体通信網２０４）へ送信する（ステップ７０７）。
【００９２】
図９は、本実施形態のみなし音声データ伝送システムの受信信号に関する動作を示すフローチャートである。図９を参照すると、まず、図５に示した３Ｇ通信モジュール４０４が移動体通信網２０４からＨＤＬＣライクな同期ＰＰＰフレームを受信し（ステップ８０１）、受信したＨＤＬＣライクな同期ＰＰＰフレームを非同期ＰＰＰフレームへ変換し（ステップ８０２）、図５に示したフレーム制御装置４０３内の受信フレーム処理部４１１へ送信する。
【００９３】
受信フレーム処理部４１１は、上述した送信フレーム処理部４１０と逆の処理を行う。受信フレーム処理部４１１は、３Ｇ通信モジュール４０４から受信したＨＤＬＣライクな非同期ＰＰＰフレーム６０３のフラグ情報からフレームの先頭を識別し、そのフレームからＡＤＰＣＭデータを取得する（ステップ８０３）。受信フレーム処理部４１１は、取得したＡＤＰＣＭデータをＡＤＰＣＭデジタル信号としてＡＤＰＣＭ  ＣＯＤＥＣ  ４０２へ送信する。このとき、受信フレーム処理部４１１は、ＦＣＳエラーチェックを行い、ＦＣＳエラーが検出された伝送フレームを破棄する。
【００９４】
また、受信フレーム処理部４１１は、移動体通信網２０４による伝送フレームの受信タイミングの揺らぎやジッタを吸収するための受信バッファ４１２を備えている。受信バッファ４１２の構成は図６に示されている。受信バッファ４１２は、前述のＡＤＰＣＭデータのサイズに合わせて設計されており、ＡＤＰＣＭデータの１６０フレームを１単位（この単位を「面」とする）として１０面構成になっている。
【００９５】
受信フレーム処理部４１１は、ＨＤＬＣライクな非同期ＰＰＰフレーム６０３から取り出したＡＤＰＣＭデータ６０２を受信バッファ４１２に書き込み（ステップ８０４）。そして、受信フレーム処理部４１１は、調整した読み出しタイミングで受信バッファ４１２からＡＤＰＣＭデータ６０２を読み出して次段のＡＤＰＣＭ  ＣＯＤＥＣ４０２へ送信する（ステップ８０５）。これにより、移動体通信網２０４による揺らぎやジッタが吸収され、その結果として、リアルタイム性を失うことなく、みなし音声の伝送が可能になる。
【００９６】
図５に示したＡＤＰＣＭ  ＣＯＤＥＣ  ４０２は受信フレーム処理部４１１から受信した３２ｋｂｐｓのＡＤＰＣＭデータを６４ｋｂｐｓのＰＣＭデータに変換し（ステップ８０６）、ＳＬＩＣ４０１へ送信する。
【００９７】
図５に示したＳＬＩＣ４０１はＡＤＰＣＭ  ＣＯＤＥＣ  ４０２から受信した６４ｋｂｐｓのＰＣＭデジタル信号をサンプリング周波数が８ｋＨｚでμ−ｌａｗのＰＣＭ方式でアナログ信号（みなし音声）に復号し（ステップ８０７）、みなし音声信号をモデム２０２へ送信する。なお、ＳＬＩＣ４０１におけるＰＣＭ方式としてＡ−ｌａｗとμ−ｌａｗのどちらも任意で用いることができる。
【００９８】
図２に示したモデム２０２は、通信アダプタ装置２０３内のＳＬＩＣ４０１から受信した３００〜３４００Ｈｚの音声周波数帯域のアナログ信号（みなし音声）をデジタル信号（データ）に変換し（ステップ８０８）、ＤＴＥ２０１へ送信する。図２に示したＤＴＥ２０１は、モデム２０２からのデジタル信号（データ）を受信する（ステップ８０９）。
【符号の説明】
【００９９】
２０１  ＤＴＥ
２０２  モデム
２０３  通信アダプタ装置
２０４  移動体通信網
３０１  アナログインタフェース部
３０２  アナログ／デジタル変換部
３０３  フレーム処理部
３０４  無線インタフェース部
３０５、４０５  ＨＹＢ２線／４線部
３０６、３０８、４０６、４０７  ＰＣＭ  Ａ／μ−ｌａｗ部
３０７、３０９、４０８、４０９  ３２ｋＡＤＰＣＭ部
３１０、４１０  送信フレーム処理部
３１１、４１１  受信フレーム処理部、
３１２、４１２  受信バッファ
４０１  ＳＬＩＣ
４０２  ＡＤＰＣＭ  ＣＯＤＥＣ
４０３  フレーム制御装置
４０４  ３Ｇ通信モジュール
【図１】
2012244225.tif 000003
【図２】
2012244225.tif 000004
【図３】
2012244225.tif 000005
【図４】
2012244225.tif 000006
【図５】
2012244225.tif 000007
【図６】
2012244225.tif 000008
【図７】
2012244225.tif 000009
【図８】
2012244225.tif 000010
【図９】
2012244225.tif 000011